(57)【要約】【課題】取得する生理情報の信頼性をより高めることが可能な生体情報取得装置を提供すること。【解決手段】この生体情報取得装置１０は、測定対象としての生体が所定領域としての部屋４０に存在しているかどうかを示す生体存在情報を取得する存在取得部１０１と、生体の生理情報を測定するための生体センサ３０から、無線通信路を介して当該測定した生理情報を受信する情報受信部１０３と、生体存在情報と生理情報とを関連付けて、生体情報処理装置２０に送信する情報送信部１０４と、を含む。【選択図】　図１
2004065561.tif 000002
【特許請求の範囲】
【請求項１】
測定対象としての生体が所定領域に存在しているかどうかを示す生体存在情報を取得する存在取得手段と、
前記生体の生理情報を測定するための生体センサから、無線通信路を介して当該測定した生理情報を受信する情報受信手段と、
前記生体存在情報と前記生理情報とを関連付けて、所定の送信先に送信する情報送信手段と、
を含む生体情報取得装置。
【請求項２】
前記存在取得手段は、前記生体個々を識別するための生体識別情報を前記生体存在情報とあわせて取得し、
前記情報送信手段は、前記生体識別情報と前記生体存在情報と前記生理情報とを関連付けて、所定の送信先に送信する、請求項１に記載の生体情報取得装置。
【請求項３】
測定対象としての生体がいかなる運動状態にあるかを示す生体運動情報を取得する運動取得手段と、
前記生体の生理情報を測定するための生体センサから無線通信路を介して、前記生理情報を受信する情報受信手段と、
前記生体運動情報と前記生理情報とを関連付けて、所定の送信先に送信する情報送信手段と、
を含む生体情報取得装置。
【請求項４】
相互に関連付けられた、測定対象としての生体が所定領域に存在しているかどうかを示す生体存在情報と、前記生体の生理情報とを受信する情報受信手段と、
前記生体存在情報に基づいて、前記生理情報の有効性を判断する有効性判断手段と、
を含む生体情報処理装置。
【請求項５】
前記情報受信手段は、前記生体存在情報及び前記生理情報に関連付けられた、前記生体個々を識別するための生体識別情報を受信し、
更に、前記生体識別情報に基づいて、前記生理情報がどの生体のものであるかを判断する属性判断手段を含む、請求項４に記載の生体情報処理装置。
【請求項６】
相互に関連付けられた、測定対象としての生体がいかなる運動状態にあるかを示す生体運動情報と、前記生体の生理情報とを受信する情報受信手段と、
前記生体運動情報に基づいて、前記生理情報の測定状況を判断する状況判断手段と、
を含む生体情報処理装置。
【発明の詳細な説明】
【０００１】
【発明の属する技術分野】
本発明は、生体情報取得装置、及び、生体情報処理装置に関するものである。
【０００２】
【従来の技術】
在宅医療を支援するものとして、測定対象としての人間（生体）に取り付ける生体センサと、その生体センサから微弱電波によってその人間の生理情報を受信する生体情報通信端末と、その生体情報通信端末からネットワークを介して生理情報を受信して処理する患者情報管理装置とを含む生体情報計測システムがある。
【０００３】
【発明が解決しようとする課題】
生体センサから生体情報通信端末へは、人体への影響を考慮して微弱電波が用いられる。この微弱電波による無線伝送は、双方向性のものではないために誤り訂正ができず、場合によっては受信した生理情報の信頼性が低下する恐れがある。
【０００４】
そこで本発明では、取得する生理情報の信頼性をより高めることが可能な生体情報取得装置、及び、生体情報処理装置を提供することを課題とする。
【０００５】
【課題を解決するための手段】
本発明の生体情報取得装置は、測定対象としての生体が所定領域に存在しているかどうかを示す生体存在情報を取得する存在取得手段と、生体の生理情報を測定するための生体センサから、無線通信路を介して当該測定した生理情報を受信する情報受信手段と、生体存在情報と生理情報とを関連付けて、所定の送信先に送信する情報送信手段と、を含む。
【０００６】
本発明の生体情報取得装置では、生体存在情報と生理情報とを関連付けて送信するので、その生理情報が実際に所定領域に存在する生体から取得したものであるかどうかを特定することができ、取得する生理情報の信頼性をより向上できる。
【０００７】
また本発明の生体情報取得装置においては、存在取得手段は、生体個々を識別するための生体識別情報を生体存在情報とあわせて取得し、情報送信手段は、生体識別情報と生体存在情報と生理情報とを関連付けて、所定の送信先に送信することが好ましい。生体識別情報を生体存在情報と生理情報と関連付けて送信するので、その生理情報が誰のものであるかを特定することができ、取得する生理情報の信頼性をより向上できる。
【０００８】
本発明の生体情報取得装置は、測定対象としての生体がいかなる運動状態にあるかを示す生体運動情報を取得する運動取得手段と、生体の生理情報を測定するための生体センサから無線通信路を介して、生理情報を受信する情報受信手段と、生体運動情報と生理情報とを関連付けて、所定の送信先に送信する情報送信手段と、を含む。
【０００９】
本発明の生体情報取得装置では、生体運動情報と生理情報とを関連付けて送信するので、その生理情報がどのような運動状態において取得されたものであるかを特定することができ、取得する生理情報の信頼性をより向上できる。
【００１０】
本発明の生体情報処理装置は、相互に関連付けられた、測定対象としての生体が所定領域に存在しているかどうかを示す生体存在情報と、生体の生理情報とを受信する情報受信手段と、生体存在情報に基づいて、生理情報の有効性を判断する有効性判断手段と、を含む。
【００１１】
本発明の生体情報処理装置では、相互に関連付けられた生体存在情報と生理情報とを受信し、生体存在情報に基づいて生理情報の有効性を判断するので、取得する生理情報の信頼性をより向上できる。
【００１２】
また本発明の生体情報処理装置においては、情報受信手段が、生体存在情報及び生理情報に関連付けられた、生体個々を識別するための生体識別情報を受信し、更に、生体識別情報に基づいて、生理情報がどの生体のものであるかを判断する属性判断手段を含むことが好ましい。相互に関連付けられた生体識別情報と生体存在情報と生理情報とを受信するので、その生理情報が誰のものであるかを特定することができ、取得する生理情報の信頼性をより向上できる。
【００１３】
本発明の生体情報処理装置は、相互に関連付けられた、測定対象としての生体がいかなる運動状態にあるかを示す生体運動情報と、生体の生理情報とを受信する情報受信手段と、生体運動情報に基づいて、生理情報の測定状況を判断する状況判断手段と、を含む。
【００１４】
本発明の生体情報処理装置では、相互に関連付けられた生体運動情報と生理情報とを受信するので、その生理情報がどのような運動状態において取得されたものであるかを特定することができ、取得する生理情報の信頼性をより向上できる。
【００１５】
本発明の生体情報計測システムは、上述のいずれかの生体情報取得装置と、叙述のいずれかの生体情報処理装置とを含む。生体情報取得装置では、生体存在情報と生理情報とを関連付けて送信するので、その生理情報が実際に所定領域に存在する生体から取得したものであるかどうかを特定することができ、取得する生理情報の信頼性をより向上できる。生体情報処理装置では、相互に関連付けられた生体存在情報と生理情報とを受信し、生体存在情報に基づいて生理情報の有効性を判断するので、取得する生理情報の信頼性をより向上できる。
【００１６】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１７】
本発明の実施形態である生体情報計測システムについて説明する。図１は、生体情報計測システム１の構成を示す図である。生体情報計測システム１は、生体情報取得装置１０と生体情報処理装置２０とを含む。生体情報取得装置１０と生体情報処理装置２０とはネットワーク５０を介して情報の送受信が可能なように構成されている。
【００１８】
まず、生体情報取得装置１０について説明する。生体情報取得装置１０は、物理的には図２に示すように、ＣＰＵ３０１、ＲＯＭ３０２、ＲＡＭ３０３、通信コントローラ３０４、入出力コントローラ３０５、表示コントローラ３０６、印字コントローラ３０７、ＲＦ受信部３０８、アンテナ３０９、赤外線センサ３１０、アンプコンパレータ３１１、入力部３１２、表示部３１３、印字部３１４といった部分を含む。
【００１９】
生体情報取得装置１０は、機能的な構成要素として、存在取得部（存在取得手段）１０１と、運動取得部（運動取得手段）１０２と、情報受信部（情報受信手段）１０３と、情報送信部（情報送信手段）１０４とを含む。引き続いて、各構成要素について詳細に説明する。
【００２０】
存在取得部１０１は、測定対象としての人間（生体）が所定領域に存在しているかどうかを示す生体存在情報を取得する部分である。より具体的には、所定領域としての部屋４０に、生体センサ３０を付けた人間（図示しない）が存在しているかどうかを、赤外線センサにより取得する。この赤外線センサは、赤外線の変化を検出する焦電型赤外線センサであって、熱源の温度変化や熱源の移動を検出するものである。存在取得部１０１は、取得した生体存在情報を情報送信部１０４に出力する。
【００２１】
存在取得部１０１は、更に、測定対象としての人間個々を識別するための生体識別情報を生体存在情報とあわせて取得する。より具体的には、生体センサ３０を付けた人間（図示しない）が誰であるかを特定する情報（例えば、ユーザＩＤ）を、その人間が身に付けた送信機（図示しない）より赤外線通信により取得する。存在取得部１０１は、取得した生体識別情報を生体存在情報と共に情報送信部１０４に出力する。
【００２２】
運動取得部１０２は、測定対象としての人間（生体）がいかなる運動状態にあるかを示す生体運動情報を取得する部分である。より具体的には、生体センサ３０を付けた人間（図示しない）が、静止しているのか、歩くといった弱い運動状態にあるのか、走るといった強い運動状態にあるのかといったことを示す生体運動情報を取得する。例えば、測定対象に試験波を照射し、その反射波を解析することで測定対象の速度を生体運動情報として取得する。運動取得部１０２は、取得した生体運動情報を情報送信部１０４に出力する。
【００２３】
情報受信部１０３は、人間の生理情報を測定するための生体センサ３０から、無線通信路を介してその測定した生理情報を受信する部分である。本実施形態において生体センサ３０は脈拍を測るセンサであり、情報受信部１０３へは微弱電波を用いてその脈拍を送信する。情報受信部１０３は、受信した生理情報を情報送信部１０４に出力する。尚、生体センサ３０としては、血圧計、体重計、体温計、心電計、ＳＡＳモニタ、呼吸モニタ、尿失禁感知計、呼気ガスモニタ、電子聴診器、徘徊モニタ、血糖計といった各種センサが用途にあわせて適宜用いられる。
【００２４】
情報送信部１０４は、存在取得部１０１が取得した生体存在情報及び生体識別情報と、運動取得部１０２が取得した生体運動情報と、情報受信部１０３が受信した生理情報とを関連付けて、生体情報処理装置２０に送信する部分である。
【００２５】
次に、生体情報処理装置２０について説明する。生体情報処理装置２０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステム（又は、コンピュータシステムの集合体）として構成されている。
【００２６】
生体情報処理装置２０は、機能的な構成要素として、情報受信部（情報受信手段）２０１と、有効性判断部（有効性判断手段）２０２と、属性判断部（属性判断手段）２０３と、状況判断部（状況判断手段）２０４と、生体情報格納部２０５とを含む。引き続いて、各構成要素について詳細に説明する。
【００２７】
情報受信部２０１は、相互に関連付けられた、測定対象としての人間（生体）が所定領域に存在しているかどうかを示す生体存在情報と、その人間の生理情報とを受信する部分である。また、情報受信部２０１は、生体存在情報及び生理情報に関連付けられた、人間個々を識別するための生体識別情報も受信する。更に情報受信部２０１は、相互に関連付けられた、測定対象としての人間がいかなる運動状態にあるかを示す生体運動情報と、その人間の生理情報とを受信する。情報受信部２０１は、生体存在情報と生理情報とを有効性判断部２０２に、生体識別情報と生理情報とを属性判断部２０３に、生体運動情報と生理情報とを状況判断部２０４に、それぞれ出力する。
【００２８】
有効性判断部２０２は、生体存在情報に基づいて、生理情報の有効性を判断する部分である。例えば、生体存在情報が、生体センサ３０を付けた人間（図示しない）が部屋４０内にいるものである場合には、生理情報が生体センサ３０から正確に生体情報取得装置１０に伝達されたものであると推定されるので、有効性判断部２０２はその生理情報を有効なものであると判断する。有効性判断部２０２は、生理情報と対応する判断結果とを生体情報格納部２０５に格納する。
【００２９】
属性判断部２０３は、生体識別情報に基づいて、生理情報がどの人間（生体）のものであるかを判断する部分である。例えば、生体センサ３０を付けた人間（図示しない）が誰であるかを特定する生体識別情報としてユーザＩＤを取得した場合には、そのユーザＩＤに対応する人間を所定のテーブル情報に基づいて判断する。また、そのユーザＩＤそのものによって生理情報がどの人間のものであるかを判断してもよい。属性判断部２０３は、生理情報と対応する判断結果とを生体情報格納部２０５に格納する。
【００３０】
状況判断部２０４は、生体運動情報に基づいて、生理情報の測定状況を判断する部分である。例えば、生体運動情報として「移動速度分速０ｍ」を取得した場合には、測定状況としては「生体が静止状態」であると判断する。また、生体運動情報として「移動速度分速２５０ｍ」を取得した場合には、測定状況としては「生体が走っている状態」であると判断する。状況判断部２０４は、これらの判断結果を「レベル１」「レベル２」といった区分に分けることで認識してもよい。状況判断部２０４は、生理情報と対応する測定状況とを生体情報格納部２０５に格納する。
【００３１】
生体情報格納部２０５に格納されている情報の例について、図３を用いて説明する。図３の例に拠れば、生体情報格納部２０５には、ユーザＩＤと、脈拍と、有効性と、運動状態とが関連付けられて格納されている。ユーザＩＤは、属性判断部２０３が格納した情報であって、各測定対象を識別するための情報である。脈拍は、ユーザＩＤに関連付けられて格納されている生理情報である。有効性は、有効性判断部２０２が判断して格納した情報である。運動状態は、状況判断部２０４が生体運動情報に基づいて判断した結果をレベルに区分して格納した情報である。生理情報としての脈拍は随時測定されるものであるから、図３の例のように一つのユーザＩＤに対して複数の生理情報が格納されていてもよい。
【００３２】
生体情報計測システム２は、図４に示すように、複数の生体情報取得装置１０ａ〜１０ｃを含むようにしてもよい。図４の例では、生体情報取得装置１０ａ〜１０ｃは、それぞれ生体センサ３０ａ〜３０ｃから生理情報を受信するようになっている。生体センサ３０ａ〜３０ｃを付けた人間は、それぞれ部屋４０ａ〜４０ｃに常駐しているものとする。例えば、生体センサ３０ａからの生理情報を受信する生体情報取得装置１０ａは、隣の部屋４０ｂの生体センサ３０ｂからの生理情報も受信する場合がある。しかしながら、生体情報取得装置１０ａは、生体センサ３０ｂを付した人間が部屋４０ａには存在しないことを特定する情報を、存在取得部１０１が取得することとなる。従って、生体情報取得装置１０ａが生体センサ３０ｂから受信した生理情報は、図３の「脈拍２８、無効」の情報のように生体情報格納部２０５に格納される。
【００３３】
本実施形態においては、生体情報取得装置１０が、生体存在情報と生理情報とを関連付けて生体情報処理装置２０に送信するので、その生理情報が実際に部屋４０に存在する人間から取得したものであるかどうかを特定することができ、取得する生理情報の信頼性をより向上できる。
【００３４】
また、生体情報取得装置１０が、生体識別情報を生体存在情報と生理情報と関連付けて生体情報処理装置２０に送信するので、その生理情報が誰のものであるかを特定することができ、取得する生理情報の信頼性をより向上できる。
【００３５】
また、生体情報取得装置１０が、生体運動情報と生理情報とを関連付けて生体情報処理装置２０に送信するので、その生理情報がどのような運動状態において取得されたものであるかを特定することができ、取得する生理情報の信頼性をより向上できる。
【００３６】
【発明の効果】
本発明によれば、生体存在情報と生理情報とを関連付けて送信するので、その生理情報が実際に所定領域に存在する生体から取得したものであるかどうかを特定することができる。従って本発明の目的とする、取得する生理情報の信頼性をより高めることが可能な生体情報取得装置、及び、生体情報処理装置を提供することができた。
【図面の簡単な説明】
【図１】本発明の実施形態である生体情報計測システムの構成を示した図である。
【図２】本発明の実施形態である生体情報取得装置の構成を示した図である。
【図３】図１の生体情報格納部に格納されている情報の例を示した図である。
【図４】本発明の実施形態である生体情報計測システムの構成を示した図である。
【符号の説明】
１…生体情報計測システム、１０…生体情報取得装置、２０…生体情報処理装置、３０…生体センサ、４０…部屋、５０…ネットワーク、１０１…存在取得部、１０２…運動取得部、１０３…情報受信部、１０４…情報送信部、２０１…情報受信部、２０２…有効性判断部、２０３…属性判断部、２０４…状況判断部、２０５…生体情報格納部。
【図１】
2004065561.tif 000003
【図２】
2004065561.tif 000004
【図３】
2004065561.tif 000005
【図４】
2004065561.tif 000006